(57)【要約】      （修正有）【課題】被付着面を傷つけることなく容易に取り外すことができるマグネットポップを提供すること。【解決手段】表示装置を保持するベース体５にマグネット７を配設し、このマグネット７を被付着面に磁着してベース体５を被着面に固定したマグネットポップ１であって、このマグネット７は、ベース体５に設けた操作レバー２６により被付着面に磁着する位置と被付着面から離隔する位置間でベース体５に対して移動可能にこのベース体５に支持されるように構成されることで、被付着面を操作レバー２６の支持点とすることなくマグネット７を移動させることができる。【選択図】図４
2005107243.tif 000002
【特許請求の範囲】
【請求項１】
表示装置を保持するベース体にマグネットを配設し、該マグネットを被付着面に磁着してベース体を該被着面に固定したマグネットポップであって、前記マグネットは、前記ベース体に設けた操作体により被付着面に磁着する位置と被付着面から離隔する位置間でベース体に対して移動可能に該ベース体に支持されていることを特徴とするマグネットポップ。
【請求項２】
前記マグネットはベース体に対して揺動自在に支持されている請求項１に記載のマグネットポップ。
【請求項３】
前記マグネットはベース体に対して上下方向に摺動自在に支持されている請求項１に記載のマグネットポップ。
【請求項４】
前記ベース体には表示装置を保持する支持部材が設けられている請求項１ないし３の何れかにマグネットポップ。
【請求項５】
前記支持部材はベース体に対し、任意の位置に固定可能である請求項４に記載のマグネットポップ。
【請求項６】
前記支持部材は該支持部材と係合するポール体を備えた表示装置を保持する請求項４または５に記載のマグネットポップ。
【請求項７】
前記支持部材は板状体からなる表示装置を挟持して該表示装置を保持する請求項４または５に記載のマグネットポップ。
【発明の詳細な説明】
【技術分野】
【０００１】
本発明は、表示装置を保持するベース体にマグネットを配設し、該マグネットを被付着面に磁着してベース体を該被着面に固定したマグネットポップに関する。
【背景技術】
【０００２】
従来、スーパやコンビニ店等で、商品の案内のために商品名や価格等を記した表示板から成る表示装置を保持するために、マグネット付き支持部材、いわゆるマグネットポップが使用されている。このマグネットポップは鉄製の陳列台などの被付着面に磁着させて使用されるが、商品を入れ替えのためマグネットポップの磁着位置を変えたい場合や、一時的に不要になった場合に、容易に取り外す必要がある。そのためマグネットポップ側に操作部材を設け、この操作部材を作動させることにより、マグネットポップ全体を被付着面より浮動させるようにしていた。（特許文献１、２参照）。
【０００３】
【特許文献１】特開平１１−２１９１０９号公報（段落００１４から段落００１６、第４、５図）
【特許文献２】特開２００１−１７５２０７号公報（段落００１６、第２，５図）
【発明の開示】
【発明が解決しようとする課題】
【０００４】
しかしながら、従来のこのようなマグネットポップは、被付着面から取り外す際、操作部材の一部が鉄板等の被付着面を支持点としてマグネットポップ全体を浮かそうとするために、被付着面側が傷つく恐れがあった。
【０００５】
本発明は、このような問題点に着目してなされたもので、被付着面を傷つけることなく容易に取り外すことができるマグネットポップを提供することを目的とする。
【課題を解決するための手段】
【０００６】
上記の目的を解決するために、本発明の請求項１に記載のマグネットポップは、表示装置を保持するベース体にマグネットを配設し、該マグネットを被付着面に磁着してベース体を該被着面に固定したマグネットポップであって、前記マグネットは、前記ベース体に設けた操作体により被付着面に磁着する位置と被付着面から離隔する位置間でベース体に対して移動可能に該ベース体に支持されていることを特徴としている。
この特徴によれば、ベース体に設けた操作体により、被付着面を支持点とすることなくマグネットを移動させるので、被付着面を傷つけることなくマグネットポップを取り外すことができる。
【０００７】
本発明の請求項２に記載のマグネットポップは、請求項１に記載のマグネットポップであって、前記マグネットはベース体に対して揺動自在に支持されていることを特徴としている。
この特徴によれば、マグネットの一方側を持ち上げるだけでマグネットを被付着面から浮かせることができる。
【０００８】
本発明の請求項３に記載のマグネットポップは、請求項１に記載のマグネットポップであって、前記マグネットはベース体に対して上下方向に摺動自在に支持されていることを特徴としている。
この特徴によれば、マグネットの両端側を持ち上げることでマグネットを被付着面から浮かせることができる。
【０００９】
本発明の請求項４に記載のマグネットポップは、請求項１ないし３のいずれかに記載のマグネットポップであって、前記ベース体には表示装置を保持する支持部材が設けられている特徴としている。
この特徴によれば、表示装置は支持部材を介して保持させているので、各種表示装置の支持部材側の構造を、支持部材に合わせて形成しておけば、表示装置の変更が容易にできる。
【００１０】
本発明の請求項５に記載のマグネットポップは、請求項４に記載のマグネットポップであって、前記支持部材はベース体に対し、任意の位置に固定可能であること特徴としている。
この特徴によれば、表示装置を視覚的に効果的な位置に固定保持することができる。
【００１１】
本発明の請求項６に記載のマグネットポップは、請求項４または５に記載のマグネットポップであって、前記支持部材は該支持部材と係合するポール体を備えた表示装置を保持することを特徴としている。
この特徴によれば、例えば支持部材にポール体の受入れ穴を設けておくだけで、表示装置を容易に装脱できる。
【００１２】
本発明の請求項７に記載のマグネットポップは、請求項４または５に記載のマグネットポップであって、前記支持部材は板状体からなる表示装置を挟持して該表示装置を保持することを特徴としている。
この特徴によれば、例えば支持部材にクリップを設けておくだけで、表示装置を容易に装脱でき、また複数のマグネットポップで大きな板状体からなる表示装置も保持できる。
【発明を実施するための最良の形態】
【００１３】
本発明の実施例を以下に説明する。
【実施例１】
【００１４】
本発明の実施例を図面に基づいて説明すると、先ず図1は本発明の実施例１におけるマグネットポップであって、ベース体に設けた支持部材にポール体を備えた表示装置を保持したマグネットポップの斜視図、図２はマグネットポップの平面図、図３は図２のＡ−Ａ断面図、図４は図２のＢ−Ｂ断面図であって、（ａ）はマグネットを被付着面に磁着した状態を示す図、（ｂ）はマグネットを被付着面から浮かせた状態を示す図であり、図５はマグネットポップの分解斜視図である。
【００１５】
先ず図1には、本発明の実施例としてのマグネットポップ１が示されており、このマグネットポップ１は、マグネットによりベース体５を例えば鉄製の陳列台などの被付着面に着脱可能に磁着するもので、例えば、図５に示すように、磁性体で構成される金属板８ａ〜８ｄと永久磁石Ｍで構成されたマグネット７がマグネットケース６に収納され、上部ケース２と下部ケース４から成る平面視縦長矩形状のベース体５内に移動可能に支持されている。上部ケース２一端の左右上面に配設された支持体１４，１５に、例えば商品の案内のために商品名や価格等を記した表示板２５を備えた表示装置２２を保持するための支持部材１２が設けられている。
【００１６】
詳しくは、表示装置２２は円柱状に形成された支持部材１２の柱状本体１２ａの中央から突設したボス体１２ｂの受入れ穴に下端が装着されたポール体２４と、このポール体２４の上端に設けられた商品の案内のために商品名や価格等を記した表示板２５とから構成されている。
【００１７】
支持部材１２は、図５に示すように一方の支持体１４に形成された軸孔３０から抜け止め段付き部２８ａにより抜け出し不能に挿通した支持軸２８に回動自在に挿通保持され、支持部材１２から突出した支持軸２８の先端は、他方側の一対の支持体１５中央の溝１５ａ内に挿嵌されたロックレバー１６の凹溝１６ａ内に突入している。
【００１８】
そして、溝１５ａ内に挿嵌されたロックレバー１６のピン孔１６ｂと、支持軸２８先端のピン孔２８ｂ、及び一対の支持体１５のピン孔１５ｂが同一軸線上に一致した状態で、支持ピン２０を挿通することで支持部材１２が回動自在に保持される。
【００１９】
更に、一方の支持体１４の内面には、軸孔３０を中心とする放射状の係止溝Ｒが所定角度毎に形成されており、この係止溝Ｒに対応する支持部材１２の柱状本体１２ａ端面にも図示しない同形の係止溝が放射状に形成されている。
【００２０】
図４に示すように、上部ケース２の内部には、この上部ケース２の外形に沿って下面が開口する縦長矩形状の収容凹部２ａが形成され、その左右方向の一側（右側）下端の開口端縁にはマグネットケース６の舌片６ａを揺動操作する操作体としての操作レバー２６を外部に臨ませるための切り欠き凹部２ｂが形成されている。
【００２１】
図５に示すように上部ケース２の下面前方の内側端部には下部ケース４に設けた係止爪３６ａに係合可能な係合凹部（不図示）が形成されると共に、下面後方の内側端部には下部ケース４後方の内側端部に形成された係合凹部３６ｂに係合可能な係止爪（不図示）が下方に向けて突出している。したがって、上部ケース２と下部ケース４は、互いにそれぞれの係止爪と係合凹部が嵌合することで係脱自在に一体構成されている。
【００２２】
更に、下部ケース４は、上部ケース２と同一外形で上面が開口する縦長矩形の枠体状に形成されると共に、左右方向の一側上端の開口端縁には操作レバー２６の操作部２６ａを外部に臨ませるべく上部ケース２の切り欠き凹部２ｂに対向するよう切り欠き凹部４ａが形成されている。
【００２３】
そして、枠体状に形成された下部ケース４は、他側（左側）の前後上面に上部が開放する一対の切欠き溝３４が形成されると共に、欠き凹部４ａの両側上面にも一対の切欠き溝３５が形成され、両切欠き溝３４，３５外側の上面には上部ケース２の図示しない位置決め穴に係合することで位置合わせする為の一対の位置決め突起３８が突設している。
【００２４】
また、図４に示すように、上部ケース２及び下部ケース４内部に収容されるマグネット７は、３個の角形棒状の磁石体Ｍ１，Ｍ２，Ｍ３で構成される永久磁石Ｍと、これら磁石体Ｍ１，Ｍ２，Ｍ３の両側に配設されてサンドイッチ状に配置された４枚の矩形状の磁化された金属板８ａ〜８ｄと、これら磁石体Ｍ１，Ｍ２，Ｍ３と金属板８ａ〜８ｄを一組として収容保持する上部が開口した縦長矩形状のマグネットケース６とから構成されている。
【００２５】
このマグネットケース６は、下面に長手方向に伸びる４個のスリット６ｂ〜６ｅが形成されると共に、この一側（右側）上端縁には操作レバー２６の押圧部２６ｂとの係合によって上下方向に揺動する舌片６ａが外方に向けて突出し、マグネットケース６他側の前後端面には一対の支持ピン１０が突設している。
【００２６】
マグネットケース６にマグネット７が収容された状態では、図３に示すように、磁化された４枚の金属板８ａ〜８ｄの下端が４個のスリット６ｂ〜６ｅを通してマグネットケース６の下面から露呈するようになっている。
【００２７】
そして、図５に示すように、下部ケース４に形成された一対の切欠き溝３４には、マグネットケース６に設けた一対の支持ピン１０が嵌合保持されてマグネットケース６がベース体５内で揺動可能に支持される。
【００２８】
また、マグネットケース６の舌片６ａを上下方向に揺動操作する操作レバー２６は、舌片６ａと係合する上部に一対の山形の押圧部２６ｂを有し、両側に支持ピン２６ｄ  ，２６ｄが形成されると共に、外側の一側端には操作部２６ａが形成され、内側の他側端中央には弾性変形可能に構成された可撓性を有する押圧片２６ｃが上方に向けて湾曲形成されている。
【００２９】
操作レバー２６両端の支持ピン２６ｄは一対の切欠き溝３５内に挿嵌され、切り欠き凹部４ａ内に収容された操作レバー２６は、支持ピン２６ｄを中心として揺動自在に支持される。
【００３０】
マグネットケース６両端の支持ピン１０が一対の切欠き溝３４に嵌合保持されて、下部ケース４の開口内部に揺動自在に収容されると、マグネットケース６の舌片６ａ下面の上方に向く傾斜面が操作レバー２６の押圧部２６ｂに支持される。
【００３１】
この状態で、下部ケース４と上部ケース２を係止爪３６ａと係合凹部３６ｂを介して相互に係合させて合体させることで、図４の（ａ），（ｂ）に示すようにマグネットケース６が上下部ケース２，４内部に収容保持された状態となる。
【００３２】
次に、上記のように構成されたマグネットポップ１の操作方法に付き詳述する。
【００３３】
先ず、マグネットポップ１が被付着面に磁着された状態では、操作レバー２６の操作部２６ａは、図４（ａ）に示すように下方に揺動した状態にあり、山形の押圧部２６ｂが両支持ピン２６ｄを中心として時計回りに回動して舌片６ａ下面の先端を支持した状態にある。
【００３４】
この場合、図１に示されるマグネットポップ１の支持部材１２には、商品名や価格等を記した表示板２５を上端に設けたポール体２４がボス体１２ｂの受入れ穴に装着して立設されており、この支持部材１２は、図３に示されるようにロックレバー１６を下方へ揺動操作することで、ロックレバー１６先端下方の内側に突設した顎部１６ｃが柱状本体１２ａの端面を軸方向に押圧し、一方の支持体１４内面の係止溝Ｒに柱状本体１２ａ端面の係止溝が押付けられ、係止溝同士が係合し合い支持部材１２が所定角度位置に保持される。
【００３５】
したがって、ボス体１２ｂを図１に示した垂直状態から傾斜状態に倒して支持させることも可能である。このように、支持部材１２は、係止溝同士の係合によって所定の任意の角度位置に固定でき、視覚的に効果的な位置に保持することができる。支持部材１２のボス体１２ｂにポール体２４の受入れ穴Ｈ（図３参照）が設けられているので、表示装置２２はポール体２４をその受入れ穴Ｈに挿入するだけで容易に傾斜状態に保持でき、かつ他の表示装置と入れ替えることも可能である。
【００３６】
次に、マグネットポップ１を被付着面から離反する際は、図４（ｂ）に示すように操作レバー２６の操作部２６ａを上方へ揺動操作することで山形の押圧部２６ｂ頂点が舌片６ａの下面を上方に押し上げ、マグネットケース６が支持ピン１０を支点として揺動し磁化された金属板８ａ〜８ｄが被付着面から浮上して離反され、マグネットポップ１を被付着面から容易に取り外すことができる。このとき操作レバー２６は被付着面と接触していないので、被付着面を傷つける恐れがない。
【００３７】
操作レバー２６の操作部２６ａを上方へ揺動操作すると、押圧片２６ｃの先端がマグネットケース６の片側面により押圧付勢されるので、操作部２６ａが人為的な操作力から開放されると直ちに押圧片２６ｃの付勢力でマグネットケース６は初期位置に自動復帰することができる。
【００３８】
このように、マグネット７はマグネットケース６を介して、ベース体５に設けた操作レバー２６により被付着面に付着する位置と被付着面から離隔する位置間でベース体５に対して移動可能に支持され、操作レバー２６は被付着面を支持点とすることなくマグネットケース６を揺動させるので、被付着面を傷つけずにマグネットポップ１を取り外すことができる。
【実施例２】
【００３９】
次にマグネットポップの実施例２に付き図６および図７を参照して説明する。図６は実施例２におけるマグネットポップの分解斜視図であり、図７は実施例２におけるマグネットポップの一部断面図であって、（ａ）はマグネットを被付着面に磁着した状態を示す図、（ｂ）はマグネットを被付着面から浮かせた状態を示す図である。
【００４０】
実施例２におけるマグネットポップ１’は、前記実施例１に比し操作レバー、マグネットケースないしベース体の構造のみが相違するものであって他の構成は同一構成であり、同一符号を付して重複する説明を省略する。
【００４１】
符号５で示されるベース体は、上部ケース２とこの上部ケース２下面に着脱可能に取着されマグネットケース９を支持する下部ケース３から構成されており、下部ケース３は、上部ケース２と同一外形で上面が開口する縦長矩形の枠体状に形成されると共に、左右両枠体の下面には後述する操作レバー４０を外部に臨ませて摺動可能に案内する一対の案内溝４８が形成されている。
【００４２】
そして、下部ケース３には、その開口側における前後上面の中央に上部が開放する一対の切欠き溝４６が形成されており、上部ケース２前後の内壁にもこれら切欠き溝４６に対応する図示しない一対の縦長溝が形成されている。
【００４３】
マグネットケース９を移動操作する操作レバーは、合成樹脂などで一体成形された一対の操作レバー４０，４０から成り、側面視Ｌ字形に形成されると共に垂直片の中央には内側に湾曲した弾性体４２が突設し、水平片の先端には前方に向かって低くなる傾斜面４４が形成されており、操作レバー４０の下面両側には、水平片に沿って下方が開放した一対の案内溝４０ａ，４０ｂが形成されると共に水平片の上面前方にはストッパーピン４５が突設している。
【００４４】
一方、これら操作レバー４０を案内保持する一対の案内溝４８には、両側下端に操作レバー４０下面両側の案内溝４０ａ，４０ｂを支持するアゴ部４８ａ，４８ｂが形成されており、案内溝４８の上面にはストッパーピン４５が外側に抜けないストッパーとなる端部を有すると共に内側に突き抜けるガイド溝４６ａ，４６ｂ（図７参照）が形成され、両操作レバー４０の移動範囲を規制している。
【００４５】
次に、上記のように構成されたマグネットポップ１’の操作方法に付き詳述する。
【００４６】
先ず、マグネットポップ１’が被付着面に磁着された状態では、両操作レバー４０は、図７（ａ）に示すように上部ケース２の両側面に当接した弾性体４２により外方に向けてそれぞれ付勢され、両ガイド溝４６ａ，４６ｂの端部にストッパーピン４５が当接した開放状態で位置決めされている。
【００４７】
次に、マグネットポップ１’を被付着面から離反する際は、図７（ｂ）に示すように両操作レバー４０の垂直片の外側を指で摘み押圧することで内側に向けて移動し、両操作レバー４０の水平片先端の傾斜面４４がマグネットケース９の両側下端に食い込み、更に押圧力を加えるとマグネットケース６が傾斜面４４のクサビ効果で被付着面から上方に浮上して離反され、マグネットポップ１’を被付着面から容易に取り外すことができる。
【実施例３】
【００４８】
次にマグネットポップの実施例３に付き図８および図９を参照して説明する。図８は実施例３におけるマグネットポップの分解斜視図であり、図９は実施例３におけるマグネットポップの一部の断面図であって、（ａ）はマグネットを被付着面に磁着した状態を示す図、（ｂ）はマグネットを被付着面から浮かせた状態を示す図である。
【００４９】
実施例３におけるマグネットポップ１’’は、前記実施例２に比し操作レバーおよび上部ケースの構造のみが相違するものであって他の同一構成となる部材は同一符号を付して重複する説明を省略する。
【００５０】
次に、マグネットケース９を移動操作する操作レバーは、合成樹脂などで一体成形された一対の操作レバー５０，５０から成り、側面視横向きコ字形に形成されると共に垂直片の中央には内側に湾曲した弾性体４２が突設し、下部水平片の先端には前方に向かって低くなる傾斜面４４が形成されており、操作レバー５０の下面両側には、下部水平片に沿って下方が開放した一対の案内溝４０ａ，４０ｂが形成されると共に水平片の上面前方にはストッパーピン４５が突設している。
【００５１】
更に、両操作レバー５０は、その上部に下部水平片と平行な上部水平片５２が形成されており、上部水平片５２の内側端部には垂直な摘み片５４が形成されている。
【００５２】
上部ケース２’は、これと合体する下部ケース３の両側下端に形成される一対の案内溝４８の直上に対応する上面にこれを横切る所定深さのガイド溝５５が形成されており、これら両ガイド溝５５は、操作レバー５０の上部水平片５２の両側ないし下面を案内するように構成されている。
【００５３】
次に、上記のように構成されたマグネットポップ１’’の操作方法に付き詳述する。
【００５４】
先ず、マグネットポップ１’’が被付着面に磁着された状態では、両操作レバー５０は、図９（ａ）に示すように上部ケース２’の両側面に当接した弾性体４２により外方に向けてそれぞれ付勢され、両ガイド溝４６ａ，４６ｂの端部にストッパーピン４５が当接した開放状態で位置決めされている。
【００５５】
次に、マグネットポップ１’’を被付着面から離反する際は、図９（ｂ）に示すように両操作レバー５０の垂直な両摘み片５４を指で摘み押圧することで、一対の案内溝４０ａ，４０ｂとガイド溝５５に案内されて内側に向けて移動し、両操作レバー５０の水平片先端の傾斜面４４がマグネットケース６の両側下端に食い込み、更に押圧力を加えるとマグネットケース６が傾斜面４４のクサビ効果で被付着面から上方に浮上して離反され、マグネットポップ１’’を被付着面から容易に取り外すことができる。
【実施例４】
【００５６】
次にマグネットポップの実施例４に付き図１０を参照して説明する。図１０は板状体からなる表示装置の両側を挟持するクリップ部を支持部材に設けたマグネットポップの一部断面を有する側面図である。
【００５７】
実施例４におけるマグネットポップ５６は、前記実施例１に比し支持部材の構造のみが相違するものであって他の構成は同一構成であり、同一符号を付して重複する説明を省略する。
【００５８】
符号６２で示される支持部材は、円柱状に形成されその側面には、板状体からなる表示装置の両側を挟持するクリップ部６４が設けられており、このクリップ部６４は、平坦な板厚のベース体６４ａとこのベース体６４ａ上面を弾力的に押圧する弾性片６４ｂとから成り、例えば合成樹脂等で一体的に構成されている。
【００５９】
このように構成されたマグネットポップ５６は、表示装置の端部を挟持するために、複数のマグネットポップ５６を組単位で使用されるようになっており、鉄製の陳列台などの幅広の被付着面に互いに離間して吸着配置することで、例えば大型の板状表示板などを挟持することができ安定した状態で着脱可能に保持することができる。
【００６０】
以上、本発明の実施例を図面により説明してきたが、具体的な構成はこれら実施例に限られるものではなく、本発明の要旨を逸脱しない範囲における変更や追加があっても本発明に含まれる。
【図面の簡単な説明】
【００６１】
【図１】本発明の実施例１におけるマグネットポップであって、ベース体に設けた支持部材にポール体を備えた表示装置を保持したマグネットポップの斜視図である。
【図２】マグネットポップの平面図である。
【図３】図２のＡ−Ａ断面図である。
【図４】図２のＢ−Ｂ断面図であって、（ａ）はマグネットを被付着面に付着した状態を示す図、（ｂ）はマグネットを被付着面から浮かせた状態を示す図である。
【図５】マグネットポップの分解斜視図である。
【図６】実施例２におけるマグネットポップの分解斜視図である。
【図７】実施例２におけるマグネットポップの一部断面図であって、（ａ）はマグネットを被付着面に磁着した状態を示す図、（ｂ）はマグネットを被付着面から浮かせた状態を示す図である。
【図８】実施例３におけるマグネットポップの分解斜視図である。
【図９】実施例３におけるマグネットポップの一部の断面図であって、（ａ）はマグネットを被付着面に磁着した状態を示す図、（ｂ）はマグネットを被付着面から浮かせた状態を示す図である。
【図１０】板状体からなる表示装置の両側を挟持するクリップ部を支持部材に設けたマグネットポップの一部断面を有する側面図である。
【符号の説明】
【００６２】
１，１’，１’’          マグネットポップ
２，２’                上部ケース
２ａ                    収容凹部
２ｂ                    凹部
３，４                  下部ケース
４ａ                    切り欠き凹部
５                      ベース体
６                      マグネットケース
６ａ                    舌片
６ｂ〜６ｅ              スリット
７                      マグネット
８ａ〜８ｄ              金属板
９                      マグネットケース
１０                    支持ピン
１２                    支持部材
１２ａ                  柱状本体
１２ｂ                  ボス体
１４，１５              支持体
１５ａ                  溝
１５ｂ                  ピン孔
１６                    ロックレバー
１６ａ                  凹溝
１６ｂ                  ピン孔
１６ｃ                  顎部
２０                    支持ピン
２２                    表示装置
２４                    ポール体
２５                    表示板
２６                    操作レバー
２６ａ                  操作部
２６ｂ                  押圧部
２６ｃ                  押圧片
２６ｄ                  支持ピン
２８                    支持軸
２８ａ                  抜け止め段付き部
２８ｂ                  ピン孔
３０                    軸孔
３４，３５              切欠き溝
３６ａ                  係止爪
３６ｂ                  係合凹部
３８                    突起
４０                    操作レバー
４０ａ，４０ｂ          案内溝
４２                    弾性体
４４                    傾斜面
４５                    ストッパーピン
４６                    切欠き溝
４６ａ，４６ｂ          ガイド溝
４８                    案内溝
４８ａ，４８ｂ          アゴ部
５０                    操作レバー
５２                    上部水平片
５４                    摘み片
５５                    ガイド溝
５６                    マグネットポップ
６２                    支持部材
６４                    クリップ部
６４ａ                  ベース体
６４ｂ                  弾性片
Ｍ                      永久磁石
Ｍ１，Ｍ２，Ｍ３        磁石体
Ｒ                      係止溝
H                      受入れ穴
【図１】
2005107243.tif 000003
【図２】
2005107243.tif 000004
【図３】
2005107243.tif 000005
【図４】
2005107243.tif 000006
【図５】
2005107243.tif 000007
【図６】
2005107243.tif 000008
【図７】
2005107243.tif 000009
【図８】
2005107243.tif 000010
【図９】
2005107243.tif 000011
【図１０】
2005107243.tif 000012